(57)【要約】【課題】複数の地点における音声の特徴を分かりやすく表示させることが可能な、情報処理装置、情報処理方法、およびプログラムを提案する。【解決手段】複数の地点の各々に関して、当該地点を含む領域内で録音された音声の特徴を示す情報に対応する表示を、当該地点に関する情報と関連付けて表示画面に表示させる出力制御部、を備え、前記録音された音声の特徴を示す情報は、前記録音された音声の大きさを示す情報を含む、情報処理装置。【選択図】図７
2017130537.tif 000002
【特許請求の範囲】
【請求項１】
複数の地点の各々に関して、当該地点を含む領域内で録音された音声の特徴を示す情報に対応する表示を、当該地点に関する情報と関連付けて表示画面に表示させる出力制御部、
を備え、
前記録音された音声の特徴を示す情報は、前記録音された音声の大きさを示す情報を含む、情報処理装置。
【請求項２】
前記録音された音声の大きさを示す情報は、前記録音された音声の騒音レベルを含む、請求項１に記載の情報処理装置。
【請求項３】
前記地点に関する情報は、前記地点に位置する不動産の識別情報または前記不動産の位置情報を含み、
前記録音された音声の大きさを示す情報は、前記不動産の屋外または屋内で録音された音声の騒音レベルを含む、請求項２に記載の情報処理装置。
【請求項４】
前記地点に関する情報は、前記地点に位置する不動産の識別情報または前記不動産の位置情報を含み、
前記録音された音声の大きさを示す情報は、前記不動産の防音性能を示す値を含む、請求項１に記載の情報処理装置。
【請求項５】
前記出力制御部は、前記複数の地点の各々に関する、当該地点を含む領域内で録音された音声の特徴を示す情報と、当該地点に関する情報との組み合わせを、リスト形式で表示させる、請求項１に記載の情報処理装置。
【請求項６】
前記出力制御部は、前記複数の地点の各々に関して、当該地点を含む領域内で録音された音声の特徴を示す情報と、当該地点に関する情報との組み合わせを、当該録音された音声の大きさを示す情報に応じた順序で一方向に並べて前記表示画面に表示させる、請求項５に記載の情報処理装置。
【請求項７】
前記表示画面は、地図画面であり、
前記地点に関する情報は、前記地点の位置情報を含み、
前記出力制御部は、前記複数の地点の各々に関して、当該地点を含む領域内で録音された音声の特徴を示す情報に対応する表示を、前記地図画面における、前記地点の位置情報に対応する表示位置に表示させる、請求項１に記載の情報処理装置。
【請求項８】
前記出力制御部は、前記複数の地点の各々に関して、当該地点を含む領域内で録音された音声の特徴を示す情報に対応する表示を、当該音声の大きさを示す情報に応じた表示態様で前記地図画面に表示させる、請求項７に記載の情報処理装置。
【請求項９】
前記複数の地点は、第１の地点と、前記第１の地点の周囲に位置する第２の地点とを含み、
前記出力制御部は、さらに、前記地図画面における前記第１の地点と前記第２の地点との間の表示位置に関して、前記第１の地点を含む領域内で録音された音声の大きさを示す情報と、前記第２の地点を含む領域内で録音された音声の大きさを示す情報とを、前記第１の地点と前記第２の地点と前記表示位置との位置関係に応じて補間し、かつ、補間した情報に対応する表示を前記表示位置に表示させる、請求項８に記載の情報処理装置。
【請求項１０】
前記出力制御部は、前記第１の地点を含む領域内で録音された音声の大きさを示す情報と、前記第２の地点を含む領域内で録音された音声の大きさを示す情報とを、さらに前記地図画面の拡大率に応じて補間し、かつ、補間した情報に対応する表示を前記表示位置に表示させる、請求項９に記載の情報処理装置。
【請求項１１】
前記録音された音声の特徴を示す情報は、前記録音された音声に含まれる音の種類ごとの音の大きさを示す情報を含む、請求項１に記載の情報処理装置。
【請求項１２】
前記情報処理装置は、前記複数の地点のうちのいずれかの選択を受け付ける受付部をさらに備え、
前記出力制御部は、さらに、選択された地点を含む領域内で録音された音声に関して、録音時刻ごとの音の大きさを示す情報を録音時刻順に前記表示画面に表示させる、請求項１に記載の情報処理装置。
【請求項１３】
前記受付部は、さらに、音の種類の選択を受け付け、
前記出力制御部は、前記録音された音声のうち前記選択された種類の音に関して、録音時刻ごとの音の大きさを示す情報を録音時刻順に前記表示画面に表示させる、請求項１２に記載の情報処理装置。
【請求項１４】
前記受付部は、さらに、期間の選択を受け付け、
前記出力制御部は、前記録音された音声のうち前記選択された期間の音声に関して、録音時刻ごとの音の大きさを示す情報を録音時刻順に前記表示画面に表示させる、請求項１２に記載の情報処理装置。
【請求項１５】
前記出力制御部は、前記複数の地点の各々に関して、当該地点を含む領域内で録音された音声に基づいて推定された、当該地点を含む領域における交通量に対応する表示を前記表示画面にさらに表示させる、請求項１に記載の情報処理装置。
【請求項１６】
前記出力制御部は、前記複数の地点の各々に関して、当該地点を含む領域内で録音された音声に基づいて推定された、当該地点における天候に関する情報に対応する表示を前記表示画面にさらに表示させる、請求項１に記載の情報処理装置。
【請求項１７】
前記天候に関する情報は、雨量、風速、または、雷に関する情報を含む、請求項１６に記載の情報処理装置。
【請求項１８】
所定の地点で録音された音声に関して、録音時刻ごとの音の大きさを示す情報を録音時刻順に表示画面に表示させる出力制御部、
を備える、情報処理装置。
【請求項１９】
複数の地点の各々に関して、当該地点を含む領域内で録音された音声の特徴を示す情報に対応する表示を、当該地点に関する情報と関連付けてプロセッサが表示画面に表示させること、
を含み、
前記録音された音声の特徴を示す情報は、前記録音された音声の大きさを示す情報を含む、情報処理方法。
【請求項２０】
コンピュータを、
複数の地点の各々に関して、当該地点を含む領域内で録音された音声の特徴を示す情報に対応する表示を、当該地点に関する情報と関連付けて表示画面に表示させる出力制御部、
として機能させるための、プログラムであって、
前記録音された音声の特徴を示す情報は、前記録音された音声の大きさを示す情報を含む、プログラム。
【発明の詳細な説明】
【技術分野】
【０００１】
本開示は、情報処理装置、情報処理方法、およびプログラムに関する。
【背景技術】
【０００２】
近年、例えばＩＣレコーダやスマートフォンなどの普及に伴い、長時間の音声を録音することが容易になっている。また、録音した音声をジャンルごとにデータベースに記録する技術も提案されている（例えば、下記特許文献１参照）。【０００３】
また、録音した音声に関する情報を表示するための技術も提案されている。例えば、下記特許文献２に記載の位置情報提供装置は、周囲の音データをリアルタイムに取得し、そして、当該音データの位置を地図画面上に表示する。
【先行技術文献】
【特許文献】
【０００４】
【特許文献１】特開２０１０−１９８５０２号公報
【特許文献２】特開２０１２−７３０８８号公報
【発明の概要】
【発明が解決しようとする課題】
【０００５】
しかしながら、特許文献２に記載の技術では、現在位置の周囲の音の情報だけしか表示することができない。このため、特許文献２に記載の技術では、例えば、現在位置から離れた特定の地点における音の特徴をユーザが把握することができない。【０００６】
そこで、本開示では、複数の地点における音声の特徴を分かりやすく表示させることが可能な、新規かつ改良された情報処理装置、情報処理方法、およびプログラムを提案する。
【課題を解決するための手段】
【０００７】
本開示によれば、複数の地点の各々に関して、当該地点を含む領域内で録音された音声の特徴を示す情報に対応する表示を、当該地点に関する情報と関連付けて表示画面に表示させる出力制御部、を備え、前記録音された音声の特徴を示す情報は、前記録音された音声の大きさを示す情報を含む、情報処理装置が提供される。【０００８】
また、本開示によれば、所定の地点で録音された音声に関して、録音時刻ごとの音の大きさを示す情報を録音時刻順に表示画面に表示させる出力制御部、を備える、情報処理装置が提供される。【０００９】
また、本開示によれば、複数の地点の各々に関して、当該地点を含む領域内で録音された音声の特徴を示す情報に対応する表示を、当該地点に関する情報と関連付けてプロセッサが表示画面に表示させること、を含み、前記録音された音声の特徴を示す情報は、前記録音された音声の大きさを示す情報を含む、情報処理方法が提供される。【００１０】
また、本開示によれば、コンピュータを、複数の地点の各々に関して、当該地点を含む領域内で録音された音声の特徴を示す情報に対応する表示を、当該地点に関する情報と関連付けて表示画面に表示させる出力制御部として機能させるための、プログラムであって、前記録音された音声の特徴を示す情報は、前記録音された音声の大きさを示す情報を含む、プログラムが提供される。
【発明の効果】
【００１１】
以上説明したように本開示によれば、複数の地点における音声の特徴を分かりやすく表示させることができる。なお、ここに記載された効果は必ずしも限定されるものではなく、本開示中に記載されたいずれかの効果であってもよい。
【図面の簡単な説明】
【００１２】
【図１】本開示の実施形態による情報処理システムの構成例を示した説明図である。
【図２】同実施形態による録音端末４０の構成例を示した機能ブロック図である。
【図３】同実施形態による録音蓄積サーバ２０の構成例を示した機能ブロック図である。
【図４】同実施形態による録音解析サーバ３０の構成例を示した機能ブロック図である。
【図５】同実施形態による録音提示サーバ１０の構成例を示した機能ブロック図である。
【図６】同実施形態による複数の不動産の音の特徴情報をリスト形式で表示する表示例を示した説明図である。
【図７】同実施形態による複数の不動産の音の特徴情報を地図画面上に表示する表示例を示した説明図である。
【図８】同実施形態による複数の不動産の音の特徴情報を地図画面上に表示する別の表示例を示した説明図である。
【図９】同実施形態による一つの不動産の詳細情報を表示する表示例を示した説明図である。
【図１０】同実施形態による一つの不動産の音の特徴情報を時系列的に表示する表示例を示した説明図である。
【図１１】同実施形態による一つの不動産の音の特徴情報を時系列的に表示する別の表示例を示した説明図である。
【図１２】同実施形態による或る録音タイミングにおける音の種類ごとの大きさを表示する表示例を示した説明図である。
【図１３】同実施形態による録音時の動作例を示したシーケンス図である。
【図１４】同実施形態による表示時の動作例の一部を示したシーケンス図である。
【図１５】同実施形態による表示時の動作例の一部を示したシーケンス図である。
【図１６】同実施形態の応用例による情報処理システムの構成例を示した説明図である。
【図１７】同応用例による複数の地点の音の特徴情報を地図画面上に表示する表示例を示した説明図である。
【図１８】同応用例による、録音データが取得不可能な位置の音の特徴情報を、近隣の地点の音の特徴情報を補間することにより、地図画面上に表示する表示例を示した説明図である。
【図１９】同応用例による複数の地点の各々の録音データに基づいて推定された交通量を地図画面上に表示する表示例を示した説明図である。
【図２０】同応用例による複数の地点の各々の録音データに基づいて推定された降水量を地図画面上に表示する表示例を示した説明図である。
【図２１】同応用例による複数の地点の各々の録音データに基づいて推定された通行人の人数を地図画面上に表示する表示例を示した説明図である。
【図２２】同応用例による複数の地点の各々の録音データに基づいて推定された動物の生息状況を地図画面上に表示する表示例を示した説明図である。
【図２３】同実施形態による録音提示サーバ１０のハードウェア構成例を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて録音端末４０ａおよび録音端末４０ｂのように区別する。ただし、実質的に同一の機能構成を有する複数の構成要素の各々を特に区別する必要がない場合、同一符号のみを付する。例えば、録音端末４０ａおよび録音端末４０ｂを特に区別する必要が無い場合には、単に録音端末４０と称する。
【００１５】
また、以下に示す項目順序に従って当該「発明を実施するための形態」を説明する。
１．情報処理システムの構成
２．実施形態の詳細な説明
３．応用例
４．ハードウェア構成
５．変形例
【００１６】
＜＜１．情報処理システムの構成＞＞
＜１−１．基本構成＞
まず、本実施形態による情報処理システムの基本構成について、図１を参照して説明する。図１に示すように、本実施形態による情報処理システムは、録音提示サーバ１０、録音蓄積サーバ２０、録音解析サーバ３０、録音端末４０、通信網４２、および、ユーザ端末５０を有する。
【００１７】
{１−１−１．録音端末４０}
録音端末４０は、外部の音声を録音するための装置である。この録音端末４０は、図１に示すように、複数の不動産２の各々に設置され得る。例えば、録音端末４０は、複数の不動産２の各々の屋外（例えばベランダなど）および屋内に設置され得る。より詳細には、録音端末４０は、不動産２の屋内に一個だけ設置されてもよいし、または、不動産２に含まれる部屋ごとに室外および室内に一個ずつ設置されてもよい。なお、不動産は、本開示における地点の一例である。
【００１８】
ここで、図２を参照して、録音端末４０の構成について説明する。図２は、録音端末４０の構成例を示した機能ブロック図である。図２に示すように、録音端末４０は、制御部４００、通信部４２０、マイクロフォン４２２、ＧＰＳ（Ｇｌｏｂａｌ  Ｐｏｓｉｔｉｏｎｉｎｇ  Ｓｙｓｔｅｍ）受信部４２４、日時情報取得部４２６、および、記憶部４２８を有する。
【００１９】
（１−１−１−１．制御部４００）
制御部４００は、録音端末４０に内蔵される例えばＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、および、ＲＯＭ（Ｒｅａｄ  Ｏｎｌｙ  Ｍｅｍｏｒｙ）などのハードウェアを用いて、録音端末４０の動作を全般的に制御する。また、図２に示すように、制御部４００は、録音部４０２、録音保存部４０４、および、送信制御部４０６を有する。
【００２０】
（１−１−１−２．録音部４０２）
録音部４０２は、マイクロフォン４２２に対する録音の制御を行う。例えば、録音端末４０に対して録音開始の操作がなされた際などの所定の場合には、録音部４０２は、マイクロフォン４２２に集音を開始させる。また、録音端末４０に対して録音終了の操作がなされた際などの所定の場合には、マイクロフォン４２２に集音を終了させる。
【００２１】
（１−１−１−３．録音保存部４０４）
録音保存部４０４は、録音部４０２の制御に従って、マイクロフォン４２２により集音された音声と、録音時のメタデータとを対応付けて記憶部４２８に保存する。ここで、メタデータは、例えば、録音日時、録音時間、および、録音時の位置情報などを含む。なお、後述するように、位置情報は、ＧＰＳ受信部４２４により取得される。また、録音日時は、録音時において日時情報取得部４２６により取得される。なお、メタデータは機械的に収集されるものに限定されない。例えば、測定者の情報、使用機材の情報、測定した方角、天気、風向き、または、特定騒音（鉄道騒音、航空機騒音、工事騒音など）の有無などを、メタデータの一部としてユーザが入力してもよい。
【００２２】
（１−１−１−４．送信制御部４０６）
送信制御部４０６は、記憶部４２８に保存されている録音データおよびメタデータの送信の制御を行う。例えば、録音データのアップロードの操作がなされた際などの所定の場合には、送信制御部４０６は、記憶部４２８に保存されている録音データおよびメタデータを、通信網４２を介して録音蓄積サーバ２０へ通信部１２０に送信させる。
【００２３】
（１−１−１−５．通信部４２０）
通信部４２０は、無線通信または有線通信により、他の装置との間で通信を行う。例えば、通信部４２０は、送信制御部４０６の制御に従って、録音データおよびメタデータを録音蓄積サーバ２０へ送信する。なお、図１では、録音端末４０が無線通信により通信網４２に接続する例を示しているが、かかる例に限定されない。録音端末４０は、例えばＬＡＮ（Ｌｏｃａｌ  Ａｒｅａ  Ｎｅｔｗｏｒｋ）ケーブルなどを用いた有線通信により通信網４２に接続されてもよい。
【００２４】
（１−１−１−６．マイクロフォン４２２）
マイクロフォン４２２は、外部の音を電気信号に変換することにより集音する機能を有する。
【００２５】
（１−１−１−７．ＧＰＳ受信部４２４）
ＧＰＳ受信部４２４は、ＧＰＳなどの測位衛星から測位信号を受信して、現在位置を測位する。なお、ＧＰＳ受信部４２４は、一種類の衛星から測位信号を受信することも可能であるし、複数の種類の衛星による測位信号を受信し、受信された信号を組み合わせて測位することも可能である。なお、位置情報は、ユーザが入力することも可能である。
【００２６】
（１−１−１−８．日時情報取得部４２６）
日時情報取得部４２６は、現在の日時情報を取得する。例えば、日時情報取得部４２６は、ハードウェアクロックにより計時される日時を現在の日時情報として取得する。または、日時情報取得部４２６は、所定の時計サーバ（図示省略）から現在の日時情報を取得することも可能である。なお、日時情報は、ユーザが入力することも可能である。
【００２７】
（１−１−１−９．記憶部４２８）
記憶部４２８は、各種のデータや各種のアプリケーションを記憶する。例えば、記憶部４２８は、録音データおよびメタデータを記憶する。
【００２８】
{１−１−２．録音蓄積サーバ２０}
録音蓄積サーバ２０は、複数の録音端末４０により録音された音声を、録音端末４０ごとに記憶するための装置である。ここで、図３を参照して、録音蓄積サーバ２０の構成について説明する。図３は、録音蓄積サーバ２０の構成例を示した機能ブロック図である。図３に示すように、録音蓄積サーバ２０は、制御部２００、通信部２２０、および、記憶部２２２を有する。
【００２９】
（１−１−２−１．制御部２００）
制御部２００は、録音蓄積サーバ２０に内蔵される例えばＣＰＵおよびＲＡＭなどのハードウェアを用いて、録音蓄積サーバ２０の動作を全般的に制御する。また、図３に示すように、制御部２００は、録音保存部２０２、および、送信制御部２０４を有する。
【００３０】
（１−１−２−２．録音保存部２０２）
録音保存部２０２は、複数の録音端末４０の各々から受信される録音データおよびメタデータと、当該録音端末４０が設置されている不動産とを対応付けて記憶部２２２に保存する。例えば、録音保存部２０２は、不動産の屋外の録音データと、当該不動産の屋内の録音データとを区別して記憶部２２２に保存する。
【００３１】
（１−１−２−３．送信制御部２０４）
送信制御部２０４は、記憶部２２２に保存されている録音データおよびメタデータを、所定のタイミングに録音解析サーバ３０へ通信部２２０に送信させる。
【００３２】
（１−１−２−４．通信部２２０）
通信部２２０は、例えば通信網４２を介して他の装置との間で情報の送受信を行う。例えば、通信部２２０は、送信制御部２０４の制御に従って、不動産ごとの録音データおよびメタデータを録音解析サーバ３０へ送信する。
【００３３】
（１−１−２−５．記憶部２２２）
記憶部２２２は、各種のデータや各種のアプリケーションを記憶する。例えば、記憶部２２２は、録音データおよびメタデータと不動産とを対応付けて記憶する。
【００３４】
{１−１−３．録音解析サーバ３０}
（１−１−３−１．音特徴情報）
録音解析サーバ３０は、複数の録音端末４０の各々により録音された音声の特徴を示す情報（以下、音特徴情報と称する場合がある）を特定するための装置である。ここで、音特徴情報は、例えば、音の大きさ、防音性能、または、音の種類などを含む。ここで、音の大きさとして、例えば（ＪＩＳ  Ｚ８７３１  ３．５に定義されている）等価騒音レベルが用いられ得る。但し、かかる例に限定されず、例えば、騒音レベル、単発騒音曝露レベル、時間率騒音レベル、長期平均等価騒音レベル、評価騒音レベル、または、長期平均評価騒音レベルなどが、音の大きさとして用いられてもよい。なお、以下では、音の大きさとして等価騒音レベルが用いられる例を中心に説明する。
【００３５】
等価騒音レベルは、ある時間範囲Ｔについて、変動する騒音の騒音レベルをエネルギー的な平均値として表した量であり、単位はデシベル（ｄＢ）である。より具体的には、等価騒音レベルは、（ＪＩＳ  Ｚ８７３１  ３．１に定義されている）Ａ特性音圧を用いて以下の式（１）により算出される。この等価騒音レベルは、人間の聴覚の周波数特定を考慮した音の大きさを表す値である。
【００３６】
【数１】
2017130537.tif 000003
【００３７】
なお、時間Ｔについては以下のように定められ得る。詳細については後述するが、録音提示サーバ１０により、録音された音声の等価騒音レベルが時系列的に表示される場合には、比較的小さな所定の値（例えば１０秒など）が時間Ｔとして定められ得る。また、録音提示サーバ１０により、録音された音声の等価騒音レベルの代表値だけが表示される場合には、録音時間の長さが時間Ｔとして定められ得る。
【００３８】
また、録音解析サーバ３０は、録音データに対して音源分離を適用することにより、単一または複数の音源による等価騒音レベルを区別することも可能である。また、録音解析サーバ３０は、Ａ特性補正を使用する例に限定されず、Ｃ特性補正またはＺ特性補正を使用してもよい。
【００３９】
ここで、図４を参照して、録音解析サーバ３０の構成について説明する。図４は、録音解析サーバ３０の構成例を示した機能ブロック図である。図４に示すように、録音解析サーバ３０は、制御部３００、通信部３２０、および、記憶部３２２を有する。
【００４０】
（１−１−３−２．制御部３００）
制御部３００は、録音解析サーバ３０に内蔵される例えばＣＰＵおよびＲＡＭなどのハードウェアを用いて、録音解析サーバ３０の動作を全般的に制御する。また、図４に示すように、制御部３００は、特徴情報特定部３０２、特徴情報保存部３０４、および、送信制御部３０６を有する。
【００４１】
（１−１−３−３．特徴情報特定部３０２）
特徴情報特定部３０２は、録音蓄積サーバ２０から受信される、複数の不動産の各々の録音データおよびメタデータに基づいて、当該不動産における音特徴情報を特定する。例えば、特徴情報特定部３０２は、一つの録音データ全体に関する音特徴情報と、当該録音データの録音時刻ごとの音特徴情報とをそれぞれ特定する。
【００４２】
例えば、特徴情報特定部３０２は、まず、録音データの波形から例えばパワー、スペクトル包絡形状、ゼロ交差率、ピッチ、相関係数、メル周波数ケプストラム係数、または、音源方位などの特徴量を特定する。そして、特徴情報特定部３０２は、特定した特徴量に対して、例えば分類木、確率モデル、ロジスティック回帰、サポートベクトルマシン、または、ニューラルネットワークなどの識別器を適用することにより、音特徴情報を特定する。
【００４３】
（１−１−３−４．特徴情報保存部３０４）
特徴情報保存部３０４は、不動産ごとに、特徴情報特定部３０２により特定された当該不動産の音特徴情報を記憶部３２２に保存する。
【００４４】
（１−１−３−５．送信制御部３０６）
送信制御部３０６は、記憶部３２２に保存されている不動産ごとの音特徴情報を、所定のタイミングに録音提示サーバ１０へ通信部３２０に送信させる。
【００４５】
（１−１−３−６．通信部３２０）
通信部３２０は、例えば通信網４２を介して他の装置との間で情報の送受信を行う。例えば、通信部３２０は、送信制御部３０６の制御に従って、不動産ごとの音特徴情報を録音提示サーバ１０へ送信する。
【００４６】
（１−１−３−７．記憶部３２２）
記憶部３２２は、各種のデータや各種のアプリケーションを記憶する。例えば、記憶部３２２は、不動産と、特定された音特徴情報とを対応付けて記憶する。
【００４７】
{１−１−４．録音提示サーバ１０}
録音提示サーバ１０は、本開示における情報処理装置の一例である。録音提示サーバ１０は、録音解析サーバ３０により特定された、不動産ごとの音特徴情報をユーザ端末５０に提示するための装置である。
【００４８】
{１−１−５．ユーザ端末５０}
ユーザ端末５０は、ユーザが使用する情報処理端末である。ユーザ端末５０は、表示画面を表示するディスプレイ、音を出力する出力部、および、通信網４２を介して通信を行うための通信機能を有する。例えば、ユーザ端末５０は、表示制御情報や音声データなどを録音提示サーバ１０から受信する。また、ユーザ端末５０は、受信した表示制御情報に従って表示画面を表示したり、受信した音声データを出力する。
【００４９】
このユーザ端末５０は、例えば、ＰＣ（Ｐｅｒｓｏｎａｌ  Ｃｏｍｐｕｔｅｒ）、タブレット端末、スマートフォンなどの携帯電話、または、ゲーム機であってもよい。または、ユーザ端末５０は、例えばヘッドマウンドディスプレイ、アイウェア、または、スマートウォッチなどのウェアラブルデバイスであってもよい。
【００５０】
{１−１−６．通信網４２}
通信網４２は、通信網４２に接続されている装置から送信される情報の有線、または無線の伝送路である。例えば、通信網４２は、電話回線網、インターネット、衛星通信網などの公衆回線網や、Ｅｔｈｅｒｎｅｔ（登録商標）を含む各種のＬＡＮ、ＷＡＮ（Ｗｉｄｅ  Ａｒｅａ  Ｎｅｔｗｏｒｋ）などを含んでもよい。また、通信網４２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００５１】
なお、本実施形態による情報処理システムの構成は、上述した構成に限定されない。例えば、録音蓄積サーバ２０、録音解析サーバ３０、および、録音提示サーバ１０はそれぞれ独立した装置として構成される代わりに、いずれか二以上は一体の装置として構成されてもよい。
【００５２】
＜１−２．課題の整理＞
以上、本実施形態による情報処理システムの構成について説明した。ところで、従来、録音データの内容を把握するための方法として、録音データを試聴することが行われている。しかしながら、試聴では、録音時間と同じだけの時間がかかるので、非効率的である。
【００５３】
また、録音データの内容を把握するための別の方法として、録音データと一緒に取得されたメタデータのみを参照する方法が考えられる。しかしながら、メタデータは、例えば、録音時刻、録音時間、位置情報といった情報だけしか含まないので、録音データの内容をユーザが十分に把握することができない。
【００５４】
そこで、上記事情を一着眼点にして、本実施形態による録音提示サーバ１０を創作するに至った。録音提示サーバ１０は、複数の不動産の各々に関して、当該不動産において録音された音声の音特徴情報を、当該不動産に関する情報と関連付けてユーザ端末５０に表示させることができる。これにより、不動産ごとの音声の特徴を容易に、かつ、効率的に確認することができる。
【００５５】
＜＜２．実施形態の詳細な説明＞＞
＜２−１．構成＞
次に、本実施形態による録音提示サーバ１０の構成について詳細に説明する。図５は、本実施形態による録音提示サーバ１０の構成を示した機能ブロック図である。図５に示すように、録音提示サーバ１０は、制御部１００、通信部１２０、および、記憶部１２２を有する。
【００５６】
{２−１−１．制御部１００}
制御部１００は、録音提示サーバ１０に内蔵される、後述するＣＰＵ１５０や、ＲＡＭ１５４などのハードウェアを用いて、録音提示サーバ１０の動作を全般的に制御する。また、図５に示すように、制御部１００は、出力制御部１０２、および、入力受付部１０４を有する。
【００５７】
{２−１−２．出力制御部１０２}
出力制御部１０２は、複数の不動産の各々に関して、録音蓄積サーバ２０から受信される当該不動産の録音データおよびメタデータと、録音解析サーバ３０から受信される当該不動産の音特徴情報とに応じた表示画面をユーザ端末５０に表示させる。例えば、出力制御部１０２は、まず、上記の表示画面を表示させるための表示制御情報を生成し、そして、生成した表示制御情報をユーザ端末５０へ通信部１２０に送信させる。
【００５８】
（２−１−２−１．リスト表示）
例えば、出力制御部１０２は、複数の不動産の各々に関する、当該不動産で録音された音声の音特徴情報と、当該不動産に関する情報との組み合わせをリスト形式で表示させることが可能である。例えば、出力制御部１０２は、複数の不動産の各々に関する、当該不動産で録音された音声の音特徴情報と、当該不動産に関する情報との組み合わせを、音特徴情報に応じた順序で一方向に並べて表示画面に表示させる。ここで、不動産に関する情報は、例えば、不動産の識別情報、または、不動産の位置情報を含む。
【００５９】
図６は、リスト形式の表示例（リスト画面６０）を示した説明図である。図６に示したように、リスト画面６０は、複数の不動産の各々に関する、当該不動産の情報６２０を一覧表示する表示画面である。ここで、不動産の情報６２０は、例えば画像６００、不動産名６０２、住所６０４、階数６０６、屋外騒音６０８、屋内騒音６１０、および、防音性能６１２などの複数の項目を含む。
【００６０】
画像６００には、該当の不動産の例えば外観の画像が表示される。また、不動産名６０２には、該当の不動産の名称（識別情報）が表示される。また、住所６０４には、該当の不動産の住所が表示される。また、階数６０６には、該当の不動産（の建物）の階数が表示される。また、屋外騒音６０８には、録音解析サーバ３０により特定された、該当の不動産の屋外の等価騒音レベルが表示される。また、屋内騒音６１０には、録音解析サーバ３０により特定された、該当の不動産の屋内の等価騒音レベルが表示される。また、防音性能６１２には、該当の不動産の防音性能を示す値が表示される。ここで、防音性能は、例えば、該当の不動産の屋外の等価騒音レベルと屋内の等価騒音レベルとの差として算出される。例えば、該当の不動産の外から所定の音を出力した際の、屋外での当該音の等価騒音レベルの測定結果と、屋内での当該音の等価騒音レベルの測定結果との差として、防音性能は算出され得る。
【００６１】
このリスト画面６０は、例えば、屋外騒音６０８、屋内騒音６１０、および、防音性能６１２などの項目に関して、ユーザの選択に基づいて、値の昇順または降順に各不動産の情報６２０を並び替えて表示することが可能である。また、リスト画面６０では、一以上の項目の値の範囲をユーザが指定したり、または、例えば録音時刻などのメタデータを指定することにより、不動産の情報６２０を絞り込んで表示することも可能である。また、リスト画面６０は、例えば屋外騒音６０８の値が同じ範囲内であるなど、音特徴情報が類似している不動産の群ごとに不動産の情報６２０を分けて表示することも可能である。
【００６２】
また、リスト画面６０においていずれかの不動産が選択された場合には、後述するように、出力制御部１０２は、選択された不動産に関する詳細画面を表示させることが可能である。
【００６３】
このリスト画面６０によれば、不動産ごとの、不動産に関する情報、および、等価騒音レベルが一覧表示される。このため、ユーザは、複数の不動産に関する騒音の大きさを分かりやすく、かつ、効率的に参照することができる。例えば、ユーザは、複数の不動産の中から、より静かな不動産を効率的に探すことができる。
【００６４】
‐変形例
なお、変形例として、一つの建物が複数の部屋を有する場合には、リスト画面６０は、当該建物に関して部屋ごとの等価騒音レベルを表示することも可能である。例えば、リスト画面６０は、各建物に含まれる部屋ごとに、例えば当該部屋の名称、当該部屋の室外騒音、および、当該部屋の室内騒音などの情報を表示してもよい。
【００６５】
（２−１−２−２．地図表示）
また、出力制御部１０２は、地図画面をユーザ端末５０に表示させ、かつ、不動産ごとに、当該不動産で録音された音声の音特徴情報に対応する表示を、当該不動産の位置情報に対応する表示位置に表示させることが可能である。例えば、出力制御部１０２は、不動産ごとに、当該不動産で録音された音声の音特徴情報に対応するアイコンを、当該不動産で録音された音声の大きさに応じた表示態様で地図画面上に表示させる。
【００６６】
図７は、地図画面の表示例（地図画面７０）を示した説明図である。図７に示したように、地図画面７０では、複数の不動産の各々に関して、不動産アイコン７００、および、騒音レベルアイコン７０２を関連付けて表示させる。また、地図画面７０は、例えば、カレンダーＵＩ７１０、時計ＵＩ７１２、および、拡大率変更ＵＩ７１４を含む。ここで、不動産アイコン７００は、該当の不動産の位置情報に対応する表示位置に表示される所定のアイコンである。なお、図７では、全ての不動産について不動産アイコン７００が同じである例を示しているが、かかる例に限定されず、不動産ごと、または、不動産の種類ごとに、不動産アイコン７００の形状や表示色を異ならせて表示してもよい。
【００６７】
なお、いずれかの不動産アイコン７００がユーザにより選択された場合には、後述するように、出力制御部１０２は、選択された不動産アイコン７００に対応する不動産に関する詳細画面を表示させることが可能である。
【００６８】
また、騒音レベルアイコン７０２は、該当の不動産の等価騒音レベル（例えば屋外の等価騒音レベルなど）を示すためのアイコンである。図７では、等価騒音レベルが大きいほど、騒音レベルアイコン７０２のサイズを大きく表示させる例を示している。但し、かかる例に限定されず、出力制御部１０２は、等価騒音レベルの大きさに応じて、例えば騒音レベルアイコン７０２の形状、騒音レベルアイコン７０２の表示色（色の種類、色の濃さ、または透明度など）、騒音レベルアイコン７０２のデコレーション、または、騒音レベルアイコン７０２に含まれる文字や画像などを変化させることも可能である。または、出力制御部１０２は、該当の不動産に関する複数の種類の等価騒音レベルに応じて、騒音レベルアイコン７０２に関する複数の種類の表示形式を変化させてもよい。例えば、出力制御部１０２は、該当の不動産の屋外の等価騒音レベルの大きさに応じて騒音レベルアイコン７０２の大きさを変化させ、かつ、該当の不動産の屋内の等価騒音レベルの大きさに応じて騒音レベルアイコン７０２の表示色を変化させてもよい。
【００６９】
なお、騒音レベルアイコン７０２がユーザにより選択された場合には、後述するように、出力制御部１０２は、該当の不動産の録音データを時系列的に表示させてもよいし、または、該当の不動産の録音データの音声をユーザ端末５０に出力させてもよい。
【００７０】
また、カレンダーＵＩ７１０および時計ＵＩ７１２は、それぞれ録音日付または録音時刻を選択するためのＵＩである。例えば、カレンダーＵＩ７１０において日付が選択され、かつ、時計ＵＩ７１２において時刻が選択された場合には、出力制御部１０２は、複数の不動産の各々に関して、選択された日付および時刻に録音された音声に関する等価騒音レベルを地図画面７０に表示させることが可能である。
【００７１】
この地図画面７０によれば、複数の不動産の各々に関して、当該不動産の位置情報（不動産アイコン７００）と等価騒音レベルアイコン７０２とが関連付けて表示される。このため、ユーザは、複数の不動産の各々の等価騒音レベルを同一の画面において参照することができ、効率的に参照することができる。また、不動産ごとの等価騒音レベルの大きさを分かりやすく表示させることができる。
【００７２】
‐変形例１
なお、変形例として、地図画面７０上に選択用ウィンドウ（図示省略）を表示し、そして、表示対象の、音の特徴の種類（例えば、屋外の等価騒音レベル、屋内の等価騒音レベル、および防音性能など）を当該選択用ウィンドウにおいて選択可能にしてもよい。この場合、当該選択用ウィンドウにおいて選択された種類の特徴の値が、騒音レベルアイコン７０２で表示される。または、表示対象の、音の種類（例えば、電車の音、自動車の音、および動物の鳴き声など）も当該選択用ウィンドウにおいて選択可能にしてもよい。
【００７３】
また、別の変形例として、一つの建物が複数の部屋（物件）を有する場合に関しては、（該当の建物に対応する）騒音レベルアイコン７０２では、複数の部屋の等価騒音レベルの平均値を表示してもよいし、または、複数の部屋のうちのいずれかの等価騒音レベルのみを表示してもよい。または、この場合、地図画面７０上に表示される選択用ウィンドウにおいて、複数の部屋のうちの一つを選択可能とし、そして、（該当の建物に対応する）騒音レベルアイコン７０２では、選択された部屋の等価騒音レベルを表示してもよい。
【００７４】
また、別の変形例として、地図画面７０では、例えば録音時刻を自動的にカウントアップ可能とし、そして、出力制御部１０２は、複数の不動産の各々に関して、録音時刻のカウントアップに応じて、等価騒音レベルの変化をアニメーション表示させてもよい。
【００７５】
‐変形例２
また、図８は、地図画面の別の表示例（地図画面７０ｂ）を示した説明図である。図８に示したように、地図画面７０ｂでは、不動産ごとに、不動産アイコン７００、および、種類別の騒音レベル表示７０４が表示される。図８に示したように、種類別の騒音レベル表示７０４では、例えば、該当の不動産の屋外の等価騒音レベルおよび屋内の等価騒音レベルがそれぞれ棒グラフにより表示される。この表示例によれば、地図画面７０において、複数の不動産の各々に関して、複数の種類の騒音レベルを一覧表示することができる。
【００７６】
（２−１−２−３．詳細画面）
また、例えば、リスト画面または地図画面においていずれかの不動産が選択された場合には、出力制御部１０２は、選択された不動産に関する詳細画面をユーザ端末５０に表示させることが可能である。ここで、詳細画面は、該当の不動産に関して、音特徴情報を含む各種の情報を表示する画面である。
【００７７】
図９は、詳細画面の表示例（詳細画面７２）を示した説明図である。図９に示したように、詳細画面７２では、選択された不動産に関する、不動産名７２０、住所７２２、階数７２４、屋外騒音７２６、時系列表示アイコン７２８、屋内騒音７３０、防音性能７３２、および、画像７３４が表示される。ここで、不動産名７２０、住所７２２、階数７２４、屋外騒音７２６、屋内騒音７３０、防音性能７３２、および、画像７３４の内容は、図６に示した、不動産名６０２、住所６０４、階数６０６、屋外騒音６０８、屋内騒音６１０、防音性能６１２、および、画像６００とそれぞれ同じであり得る。
【００７８】
また、時系列表示アイコン７２８は、該当の不動産の録音データに関する時系列表示画面を表示させるためのＵＩである。ここで、時系列表示画面は、該当の不動産の録音データに関して、録音時刻ごとの等価騒音レベルを時系列的に表示する画面である。
【００７９】
（２−１−２−４．時系列表示画面）
また、例えば、詳細画面において時系列表示アイコン７２８が選択された場合などの所定の場合には、出力制御部１０２は、該当の不動産の音特徴情報の時系列表示画面を表示させることが可能である。
【００８０】
図１０は、音特徴情報の時系列表示画面の表示例（時系列表示画面７４）を示した説明図である。図１０に示すように、時系列表示画面７４では、例えば、等価騒音レベル座標系７４０、不動産の等価騒音レベルの時系列グラフ７４２、他の音の等価騒音レベルのグラフ７４４、音種類選択用ＵＩ７４８、および、対象時間選択バー７５０が表示される。ここで、等価騒音レベル座標系７４０では、例えば、横軸が録音時刻であり、かつ、縦軸が等価騒音レベルである。また、不動産の等価騒音レベルの時系列グラフ７４２は、該当の不動産の、録音時刻ごとの等価騒音レベルの推移を示すグラフである。また、不動産の等価騒音レベルの時系列グラフ７４２上の任意の点は選択可能であり、そして、いずれかの点がユーザにより選択されると、後述するように、出力制御部１０２は、選択された点に対応する時刻を開始時刻として、録音データの音声をユーザ端末５０に出力させ、かつ、録音データ再生画面をユーザ端末５０に表示させることが可能である。なお、変形例として、該当の不動産の等価騒音レベルの信頼度の時系列的な推移を示すグラフが等価騒音レベル座標系７４０にさらに表示されてもよい。
【００８１】
また、他の音の等価騒音レベルのグラフ７４４は、例えば住宅街の等価騒音レベルや繁華街の等価騒音レベルなど、目安となる他の種類の音の等価騒音レベルを示すグラフである。また、音種類選択用ＵＩ７４８は、複数の音の種類の中からユーザが一以上の音の種類を選択するためのＵＩ（例えばチェックボックス）である。この音種類選択用ＵＩ７４８においていずれかの音の種類をユーザが選択すると、出力制御部１０２は、該当の不動産の等価騒音レベルに対する、選択された種類の音の等価騒音レベルの大きさの比率（単位はパーセント）の時系列グラフを時系列表示画面７４に表示させる。例えば、図１０では、音種類選択用ＵＩ７４８において「電車の音」が選択されており、そして、（該当の不動産の等価騒音レベルに対する）「電車の音」の等価騒音レベルの大きさの比率の時系列グラフ７４６が表示されている例を示している。
【００８２】
また、対象時間選択バー７５０は、等価騒音レベル座標系７４０に表示される録音時刻（横軸）の値の範囲を指定するためのバーである。なお、対象時間選択バー７５０に代えて、あるいは、加えて、例えば１時間、夜間、２４時間、１週間などの所定の複数の種類の期間のうちの一つを選択可能とし、そして、選択された期間が、等価騒音レベル座標系７４０の横軸の値の範囲として設定されてもよい。
【００８３】
この時系列表示画面７４によれば、該当の不動産の等価騒音レベルの時系列的な推移をユーザは一目で確認することができる。例えば、一日のうちで騒音が大きい時間帯や小さい時間帯を、目安となる他の種類の音の等価騒音レベルと比較しながら容易に確認することができる。
【００８４】
‐変形例
なお、図１０では、該当の不動産に関する一種類の等価騒音レベルの時系列的な推移を表示する例を示したが、かかる例に限定されない。例えば、図１１に示すように、時系列表示画面は、該当の不動産の等価騒音レベルに含まれる音の種類ごとの等価騒音レベルの時系列的な推移を一覧表示する面グラフ（積み上げ型のグラフ）を表示する画面であってもよい。
【００８５】
図１１に示した時系列表示画面７４ｂでは、該当の不動産の等価騒音レベルに含まれる、「電車の音」の等価騒音レベルの時系列的な推移を示す領域７６０ａ、「自動車の音」の等価騒音レベルの時系列的な推移を示す領域７６０ｂ、「通行人の音」の等価騒音レベルの時系列的な推移を示す領域７６０ｃ、および、その他の種類の音の合計の等価騒音レベルの時系列的な推移を示す領域７６０ｄを積み上げた面グラフの例を示している。
【００８６】
（２−１−２−５．録音データ再生画面）
また、例えば図１０または図１１に示した時系列グラフ７４２上のいずれかの点が選択された場合などには、出力制御部１０２は、選択された時刻を開始時刻として、録音データの音声をユーザ端末５０に出力を開始させ、かつ、録音データ再生画面をユーザ端末５０に表示させることが可能である。
【００８７】
図１２は、録音データ再生画面の表示例（録音データ再生画面７６）を示した説明図である。図１２に示したように、録音データ再生画面７６では、例えば、該当の不動産の等価騒音レベルに対する、複数の種類の音の各々の等価騒音レベルの大きさの比率がそれぞれ棒グラフ７７０で表示される。例えば、出力制御部１０２は、複数の種類の音の各々に関して、再生時刻ごとの当該音の等価騒音レベルの大きさの比率に応じて棒グラフ７７０の長さが変化するように、音の再生に沿って棒グラフ７７０の長さを逐次更新（アニメーション表示）してもよい。なお、変形例として、録音データ再生画面７６では、複数の種類の音のうちユーザにより選択された音に対応する棒グラフ７７０を非表示にすることも可能である。
【００８８】
この録音データ再生画面７６によれば、ユーザは、録音データを試聴しながら、当該試聴タイミングごとの、該当の不動産に関する騒音の大きさに対する、音の種類ごとの騒音の比率を確認することができる。
【００８９】
{２−１−３．入力受付部１０４}
入力受付部１０４は、ユーザの入力内容を受け付ける。例えば、入力受付部１０４は、リスト画面または地図画面に表示されている複数の不動産の中から、（例えば詳細画面の表示対象として）いずれかの不動産の選択を受け付ける。また、入力受付部１０４は、例えば図１０および図１１に示した、不動産の等価騒音レベルの時系列グラフ７４２において、（録音データの再生時刻として）当該時系列グラフ７４２上のいずれかの点の選択を受け付ける。
【００９０】
{２−１−４．通信部１２０}
通信部１２０は、録音提示サーバ１０と通信可能な他の装置との間で情報の送受信を行う。例えば、通信部１２０は、出力制御部１０２の制御に従って、各種の画面を表示させるための表示制御情報をユーザ端末５０へ送信する。
【００９１】
{２−１−５．記憶部１２２}
記憶部１２２は、各種のデータや各種のソフトウェアを記憶する。例えば、記憶部１２２は、複数の不動産の各々に関する情報（当該不動産の名称や画像など）を記憶する。
【００９２】
＜２−２．動作＞
以上、本実施形態による構成について説明した。次に、本実施形態による動作の一例について、「２−２−１．録音時の動作」および「２−２−２．表示時の動作」において説明する。なお、基本的に、まず「録音時の動作」が実行され、その後、「表示時の動作」が実行される。
【００９３】
｛２−２−１．録音時の動作｝
まず、本実施形態による録音時の動作について、図１３を参照して説明する。なお、図１３では、録音端末４０を一つだけ記載しているが、基本的には、録音端末４０は複数設置されており、そして、当該複数の録音端末４０の各々が、図１３に示すシーケンス図と同様の動作を行うものとする。
【００９４】
図１３に示したように、まず、複数の不動産の各々に設置されている録音端末４０は、所定の録音期間が終了するまで録音を行う（Ｓ１０１〜Ｓ１０３）。そして、所定の録音期間が終了した場合には、複数の録音端末４０の各々は、録音データおよび録音時に取得したメタデータを、通信網４２を介して録音蓄積サーバ２０へ送信する（Ｓ１０５）。なお、かかる例に限定されず、例えば、通信網４２に接続可能な他の装置（図示省略）の位置まで録音端末４０を人手で運び、そして、録音端末４０を当該他の装置に接続させてもよい。そして、この場合、当該他の装置が通信網４２を介して、録音データおよびメタデータを録音蓄積サーバ２０へ送信する。
【００９５】
その後、録音蓄積サーバ２０の録音保存部２０２は、Ｓ１０５で受信された録音データおよびメタデータを、該当の不動産と対応付けて記憶部２２２に保存する（Ｓ１０７）。そして、通信部２２０は、送信制御部２０４の制御に従って、当該録音データおよびメタデータを録音解析サーバ３０へ送信する（Ｓ１０９）。
【００９６】
その後、録音解析サーバ３０の特徴情報特定部３０２は、Ｓ１０９で受信された録音データおよびメタデータに基づいて、録音データの音特徴情報を特定する（Ｓ１１１）。そして、特徴情報保存部３０４は、特定された音特徴情報を、該当の不動産と対応付けて記憶部３２２に保存する（Ｓ１１３）。
【００９７】
｛２−２−２．表示時の動作｝
次に、本実施形態による表示時の動作について、図１４および図１５を参照して説明する。
【００９８】
図１４に示したように、まず、ユーザ端末５０は、例えばユーザの入力に基づいて、録音提示サーバ１０にアクセスする（Ｓ１２１）。
【００９９】
その後、録音提示サーバ１０は、複数の不動産の各々の音特徴情報の提供を録音解析サーバ３０に対して要求する。そして、録音解析サーバ３０は、当該複数の不動産の各々の音特徴情報を録音提示サーバ１０へ送信する（Ｓ１２３）。
【０１００】
また、録音提示サーバ１０は、複数の不動産の各々に関して、録音データおよびメタデータの提供を録音蓄積サーバ２０に対して要求する。そして、録音蓄積サーバ２０は、当該複数の不動産の各々に関して、録音データおよびメタデータを録音提示サーバ１０へ送信する（Ｓ１２５）。
【０１０１】
その後、録音提示サーバ１０の出力制御部１０２は、複数の不動産の各々に関して、Ｓ１２３で受信された音特徴情報と、当該不動産に関する情報とを関連付けて表示させるための表示制御情報を生成する（Ｓ１２７）。そして、通信部１２０は、出力制御部１０２の制御に従って、生成された表示制御情報をユーザ端末５０へ送信する（Ｓ１２９）。
【０１０２】
その後、ユーザ端末５０は、Ｓ１２９で受信された表示制御情報に基づいて、複数の不動産の各々に関して、当該不動産に関する情報と音特徴情報とを関連付けた表示画面（例えばリスト画面や地図画面）を表示する（Ｓ１３１）。
【０１０３】
その後、ユーザ端末５０は、表示中の表示画面においていずれかの不動産がユーザにより選択されるまで待機する（Ｓ１３３）。そして、いずれかの不動産が選択された場合には（Ｓ１３３：Ｙｅｓ）、ユーザ端末５０は、選択された不動産の識別情報を録音提示サーバ１０へ通知する（Ｓ１３５）。
【０１０４】
その後、録音提示サーバ１０の出力制御部１０２は、Ｓ１３５で通知された不動産に関する詳細画面を表示させるための表示制御情報を生成する（Ｓ１３７）。そして、通信部１２０は、出力制御部１０２の制御に従って、生成された表示制御情報をユーザ端末５０へ送信する（Ｓ１３９）。
【０１０５】
ここで、図１５を参照して、Ｓ１３９より後の動作について説明する。図１５に示したように、Ｓ１３９の後、ユーザ端末５０は、Ｓ１３９で受信された表示制御情報に基づいて、Ｓ１３３で選択された不動産に関する詳細画面を表示する（Ｓ１４１）。
【０１０６】
その後、ユーザ端末５０は、表示中の詳細画面において、音特徴情報の時系列表示の選択がユーザによりなされるまで待機する（Ｓ１４３）。そして、時系列表示の選択がなされた場合には（Ｓ１４３：Ｙｅｓ）、ユーザ端末５０は、当該選択がなされたことを録音提示サーバ１０へ通知する（Ｓ１４５）。
【０１０７】
その後、録音提示サーバ１０の出力制御部１０２は、該当の不動産の音特徴情報を時系列的に表示させるための表示制御情報を生成する（Ｓ１４７）。そして、通信部１２０は、出力制御部１０２の制御に従って、生成された表示制御情報をユーザ端末５０へ送信する（Ｓ１４９）。
【０１０８】
その後、ユーザ端末５０は、Ｓ１４９で受信された表示制御情報に基づいて、該当の不動産の音特徴情報の時系列表示画面を表示する（Ｓ１５１）。
【０１０９】
その後、ユーザ端末５０は、表示中の時系列表示画面において録音データの再生が選択されるまで待機する。例えば、ユーザ端末５０は、表示中の時系列グラフ上のいずれかの点が選択されるまで待機する（Ｓ１５３）。そして、録音データの再生が選択された場合には（Ｓ１５３：Ｙｅｓ）、ユーザ端末５０は、当該選択がなされたことを録音提示サーバ１０へ通知する（Ｓ１５５）。
【０１１０】
その後、録音提示サーバ１０の出力制御部１０２は、Ｓ１５５の通知に基づいて、該当の不動産の録音データを例えばストリーミング形式で、ユーザ端末５０へ通信部１２０に送信させる（Ｓ１５７）。
【０１１１】
その後、ユーザ端末５０は、Ｓ１５７で受信された録音データの音声を出力する（Ｓ１５９）。
【０１１２】
‐変形例
なお、本実施形態による動作は、上述した動作例に限定されない。例えば、「録音時の動作」と「表示時の動作」とは連続的に実行される例に限定されず、それぞれ並行に実行されてもよい。また、Ｓ１３５の後に、上述したＳ１３７〜Ｓ１４５の処理が行われる代わりに、Ｓ１４７以降の処理が行われてもよい。また、Ｓ１３３、Ｓ１４３、および、Ｓ１５３において、表示の終了の入力をユーザが行うことも可能であり、そして、当該入力がされた場合には、上述した「表示時の動作」は終了され得る。
【０１１３】
＜２−３．効果＞
以上説明したように、本実施形態による録音提示サーバ１０は、複数の不動産の各々に関して、当該不動産で録音された音声の音特徴情報に対応する表示を、当該不動産に関する情報と関連付けて表示画面に表示させる。このため、複数の不動産の各々における音の特徴を分かりやすく表示させることができる。例えば、複数の不動産の各々における音の特徴をユーザは効率的に参照し、即座に把握することが可能となる。また、ユーザは実際に現地に赴かなくても、各不動産の音の特徴を調査することができる。
【０１１４】
例えば、録音提示サーバ１０は、複数の不動産の各々に関して、当該不動産で録音された音声の等価騒音レベルと、当該不動産に関する情報とを関連付けてリスト形式で表示させたり、地図画面上に表示させる。このため、複数の不動産の各々に関する騒音の大きさを同一の画面において参照することができるので、効率的、かつ、容易に確認することができる。また、等価騒音レベルが特異である不動産や、特異な等価騒音レベルの値の調査が容易になる。
【０１１５】
また、録音提示サーバ１０は、例えばユーザにより選択された不動産に関して、録音時刻ごとの等価騒音レベルを例えば折れ線グラフにより時系列的にユーザ端末５０に表示させる。このため、ユーザは、該当の不動産の等価騒音レベルの時系列的な推移を一目で確認することができる。また、等価騒音レベルが特異である時刻や、当該時刻における等価騒音レベルの値の調査が容易になる。
【０１１６】
また、録音提示サーバ１０は、例えばユーザにより選択された不動産に関して、当該不動産で録音された音声をユーザ端末５０に出力させながら、当該音声の出力時における等価騒音レベルをユーザ端末５０に表示させる。このため、当該不動産の録音データの内容をユーザが十分に、かつ、効率的に把握することができる。
【０１１７】
＜＜３．応用例＞＞
以上、本実施形態について説明した。上述した実施形態では、不動産ごとに音声を録音する例について説明した。次に、本実施形態の応用例について説明する。後述するように、本応用例によれば、不動産に限定されず、任意の地点における音声を録音することにより、任意の地点における音特徴情報をユーザ端末５０に表示させることができる。
【０１１８】
＜３−１．情報処理システムの構成＞
図１６は、本応用例による情報処理システムの構成例を示した説明図である。図１６に示すように、本応用例による録音端末４０は、例えば、電柱４、郵便ポスト６、または、街路樹８などの、地域内に設置されている静止物に取り付けられ得る。なお、かかる例に限定されず、録音端末４０は、看板、ガードレール、信号機、防犯カメラ、または、建物などに取り付けられてもよい。
【０１１９】
なお、録音端末４０は、静止している物体に取り付けられる例に限定されず、例えば、ユーザが携帯することも可能である。例えば、録音端末４０は、スマートフォンなどの携帯電話やＩＣレコーダなどの携帯型の装置、または、ウェアラブルデバイスなどであってもよい。この場合、ユーザは録音端末４０を携帯しながら移動することにより、ユーザの移動経路における音声を録音することが可能である。
【０１２０】
または、録音端末４０は、乗り物（自動車、バイク、または、自転車など）の外部に取り付けられてもよい。この場合、当該乗り物が移動することにより、当該乗り物の移動経路における音声を録音することが可能である。なお、これらの変形例の場合、録音解析サーバ３０は、録音端末４０により録音された音声から、人や乗り物の移動に伴う音声を除外することにより、任意の地点における音特徴情報を適切に抽出することができる。
【０１２１】
なお、本応用例による録音端末４０、録音蓄積サーバ２０、録音解析サーバ３０、および、ユーザ端末５０の構成は、上述した実施形態と概略同様である。
【０１２２】
＜３−２．構成＞
次に、本応用例による録音提示サーバ１０の構成について説明する。なお、本応用例による録音提示サーバ１０の構成要素は、上述した実施形態と同様である。以下では、上述した実施形態と異なる機能についてのみ説明を行う。
【０１２３】
{３−２−１．出力制御部１０２}
本応用例による出力制御部１０２は、複数の録音端末４０の各々が位置する地点に関して、当該地点で録音された音声の音特徴情報を、当該地点の位置情報と関連付けて表示画面に表示させる。
【０１２４】
（３−２−１−１．地点ごとの表示）
例えば、出力制御部１０２は、地図画面をユーザ端末５０に表示させ、かつ、複数の地点の各々に関して、当該地点で録音された音声の音特徴情報に対応する表示を、当該地点の位置情報に対応する表示位置に表示させることが可能である。
【０１２５】
図１７は、本応用例による地図画面の表示例（地図画面８０）を示した説明図である。図１７に示すように、出力制御部１０２は、地図画面８０において、複数の地点の各々に関して、当該地点の位置情報に対応する表示位置に等価騒音レベルアイコン８００を表示させる。そして、出力制御部１０２は、当該地点で録音された音声の等価騒音レベルに応じて、等価騒音レベルアイコン８００の表示態様（例えば等価騒音レベルアイコン８００の大きさなど）を異ならせて表示させる。なお、地図画面８０における他の表示内容に関しては、図７に示した地図画面７０と概略同様である。
【０１２６】
（３−２−１−２．補間表示）
ところで、例えば設置可能な録音端末４０の個数には限界があったり、また、一以上の録音端末４０の充電残量が不足するなどの理由により、録音データを取得不可能な位置や時刻などが生じ得る。そこで、出力制御部１０２は、録音データが取得不可能な位置に関しては、近隣の複数の地点で録音された音声の音特徴情報を、当該録音データが取得不可能な位置と当該近隣の複数の地点との位置関係に応じて補間することが可能である。そして、出力制御部１０２は、例えば地図画面において、補間した音特徴情報に対応する表示を該当の表示位置に表示させることが可能である。
【０１２７】
図１８は、録音データが取得不可能な位置の等価騒音レベルを、近隣の地点の等価騒音レベルを補間することにより求め、そして、地図画面上に表示する表示例（地図画面８２）を示した説明図である。図１８に示したように、出力制御部１０２は、地図画面８２上の各表示位置において、等価騒音レベルの大きさに応じて例えば色の種類や、色の濃淡などを異ならせて表示させる。
【０１２８】
また、例えば拡大率変更ＵＩ７１４がユーザに操作された場合など、地図画面８２の拡大率が変更される度に、出力制御部１０２は、録音データが取得不可能な位置に関して、近隣の複数の地点との位置関係と、変更後の拡大率とに応じて、当該近隣の複数の地点の等価騒音レベルを逐次補間することにより、当該位置の等価騒音レベルを求めることが可能である。そして、出力制御部１０２は、補間した等価騒音レベルに対応する表示を該当の表示位置に逐次表示させることが可能である。
【０１２９】
この地図画面８２によれば、録音データを取得不可能な位置であっても、おおよその等価騒音レベルを知ることができる。また、地域全体の等価騒音レベルの分布を分かりやすく表示させることができる。例えば、ユーザは、静かな領域および騒がしい領域を一目で把握することができる。
【０１３０】
（３−２−１−３．交通量の表示）
また、出力制御部１０２は、複数の録音端末４０の各々が位置する地点に関して、当該地点において録音された音声に基づいて推定された、当該地点または当該地点の近隣における交通量や車の速度を表示画面に表示させることが可能である。なお、録音解析サーバ３０は、複数の地点の各々に関して、録音された音声に基づいて車の走行音を解析し、そして、解析した走行音の大きさに基づいて当該地点における例えば交通量や車の速度などを推定することが可能である。
【０１３１】
図１９は、複数の地点の各々に関する、当該地点または当該地点の近隣における交通量を地図画面上に表示する表示例（地図画面８４）を示した説明図である。図１９に示したように、出力制御部１０２は、地図画面８４において、複数の地点の各々に関して車アイコン８４０を表示させ、かつ、当該地点の交通量が多いほど車アイコン８４０を大きく表示させる。但し、かかる例に限定されず、出力制御部１０２は、当該地点の交通量の多さに応じて、例えば、車アイコン８４０の形状、車アイコン８４０の表示色（色の種類、色の濃さ、または透明度など）、車アイコン８４０のデコレーション、または、車アイコン８４０に含まれる文字や画像などを変化させてもよい。
【０１３２】
また、カレンダーＵＩ７１０において日付が選択され、かつ、時計ＵＩ７１２において時刻が選択された場合には、出力制御部１０２は、複数の地点の各々に関して、選択された日時における交通量を地図画面８４に表示させるように、表示を更新する。
【０１３３】
これらの表示例によれば、地域内の交通量、および、地域に含まれる道路ごとの交通量を同一の画面において参照することができ、効率的に参照することができる。例えば、地図画面８４に表示されている道路の渋滞状況をユーザは推測することができる。
【０１３４】
（３−２−１−４．天候に関する情報の表示）
また、出力制御部１０２は、複数の地点の各々に関して、当該地点において録音された音声に基づいて推定された、当該地点における天候に関する情報を表示画面に表示させることが可能である。ここで、天候に関する情報は、例えば、雨量、風速、または、雷の頻度などである。なお、録音解析サーバ３０は、複数の地点の各々に関して、録音された音声に基づいて雨の音、風の音、または、雷の音を解析し、そして、解析結果に基づいて、当該地点における例えば雨量、風速、または、雷の頻度などを推定することが可能である。
【０１３５】
図２０は、複数の地点の各々における雨量を地図画面上に表示する表示例（地図画面８６）を示した説明図である。図２０に示したように、出力制御部１０２は、地図画面８６において、複数の地点の各々に関して雨アイコン８６０を表示させ、かつ、当該地点の雨量が多いほど雨アイコン８６０を大きく表示させる。但し、かかる例に限定されず、出力制御部１０２は、当該地点の雨量に応じて、例えば、雨アイコン８６０の形状、雨アイコン８６０の表示色（色の種類、色の濃さ、または透明度など）、雨アイコン８６０のデコレーション、または、雨アイコン８６０に含まれる文字や画像などを変化させてもよい。
【０１３６】
（３−２−１−５．通行人に関する情報の表示）
また、出力制御部１０２は、複数の地点の各々に関して、当該地点において録音された音声に基づいて推定された、当該地点における通行人に関する情報を表示画面に表示させることが可能である。なお、録音解析サーバ３０は、複数の地点の各々に関して、録音された音声に基づいて通行人の話し声や足音などを解析し、そして、解析結果に基づいて、当該地点における例えば性別や年齢別（例えば子どもや高齢者など）の通行人の人数や、時間帯別の通行人の人数を推定することが可能である。または、録音解析サーバ３０は、解析結果に基づいて、通行人の使用言語の比率を推定することが可能である。
【０１３７】
図２１は、複数の地点の各々に関する、当該地点における性別ごとの通行人の人数を地図画面上に表示する表示例（地図画面８８）を示した説明図である。図２１に示したように、出力制御部１０２は、地図画面８８において、複数の地点の各々に関して、地点表示アイコン８８０、および、通行人の人数表示８８２を表示させる。図８に示したように、例えば、通行人の人数表示８８２では、男性の通行人の人数および女性の通行人の人数がそれぞれ棒グラフにより表示される。
【０１３８】
この地図画面８８は、マーケティングのための地域調査などに有用である。例えば、地域における人口分布や、時間帯ごとの通行人の分布をユーザは推測することができる。
【０１３９】
（３−２−１−６．動物の生息状況の表示）
また、出力制御部１０２は、複数の地点の各々に関して、当該地点において録音された音声に基づいて推定された、当該地点における動物の生息状況を表示画面に表示させることが可能である。なお、録音解析サーバ３０は、複数の地点の各々に関して、録音された音声に基づいて、動物の種類ごとの鳴き声を解析し、そして、解析結果に基づいて、当該地点における例えば動物の種類別の数を推定することが可能である。
【０１４０】
図２２は、複数の地点の各々に関する、当該地点または当該地点の近隣におけるカラスの生息状況を地図画面上に表示する表示例（地図画面９０）を示した説明図である。図２２に示したように、出力制御部１０２は、地図画面９０において、複数の地点の各々に関してカラスアイコン９００を表示させ、かつ、当該地点のカラスの推定数が多いほどカラスアイコン９００を大きく表示させる。但し、かかる例に限定されず、出力制御部１０２は、当該地点におけるカラスの推定数に応じて、例えば、カラスアイコン９００の形状、カラスアイコン９００の表示色（色の種類、色の濃さ、または透明度など）、カラスアイコン９００のデコレーション、または、カラスアイコン９００に含まれる文字や画像などを変化させてもよい。
【０１４１】
＜３−３．効果＞
以上説明したように、本応用例による録音提示サーバ１０は、複数の地点の各々に関して、当該地点で録音された音声の音特徴情報を、当該地点の位置情報と関連付けて表示画面に表示させる。このため、複数の地点の各々の音の特徴を分かりやすく表示させることができる。例えば、複数の地点の各々の音の特徴をユーザは効率的に参照し、即座に把握することができる。
【０１４２】
また、録音提示サーバ１０は、録音データが取得不可能な位置に関しては、近隣の複数の地点で録音された音声の音特徴情報を、当該近隣の複数の地点との位置関係に応じて補間し、そして、補間した音特徴情報を該当の表示位置に表示させることが可能である。これにより、録音データが取得不可能な位置であっても、おおよその等価騒音レベルを知ることができる。また、地域全体の等価騒音レベルの分布を分かりやすく表示させることができる。
【０１４３】
＜３−４．変形例＞
なお、上記の説明では、本応用例が地域調査の用途で用いられる例を中心として説明したが、かかる例に限定されない。例えば、本応用例によれば、録音された音声に基づいて、例えば悲鳴、銃声、暴走族、暴動、闇取引などの音を解析することにより、犯罪などの検知や統計などの用途にも利用可能である。また、録音された音声に基づいて、例えば車やバイクなどの移動速度を推定することにより、速度違反の検知などの用途にも利用可能である。
【０１４４】
さらに、複数の地点の各々で録音された音声と、公知のデータマイニング技術とを用いることにより、例えば地価予測、株価予測、景気予測、街や店の評判の収集などの用途にも利用可能である。
【０１４５】
＜＜４．ハードウェア構成＞＞
次に、本実施形態による録音提示サーバ１０のハードウェア構成について、図２３を参照して説明する。図２３に示すように、録音提示サーバ１０は、ＣＰＵ１５０、ＲＯＭ１５２、ＲＡＭ１５４、バス１５６、インターフェース１５８、ストレージ装置１６０、および、通信装置１６２を備える。
【０１４６】
ＣＰＵ１５０は、演算処理装置および制御装置として機能し、各種プログラムに従って録音提示サーバ１０内の動作全般を制御する。また、ＣＰＵ１５０は、録音提示サーバ１０において制御部１００の機能を実現する。なお、ＣＰＵ１５０は、マイクロプロセッサなどのプロセッサにより構成される。
【０１４７】
ＲＯＭ１５２は、ＣＰＵ１５０が使用するプログラムや演算パラメータなどの制御用データなどを記憶する。
【０１４８】
ＲＡＭ１５４は、例えば、ＣＰＵ１５０により実行されるプログラムなどを一時的に記憶する。
【０１４９】
バス１５６は、ＣＰＵバスなどから構成される。このバス１５６は、ＣＰＵ１５０、ＲＯＭ１５２、およびＲＡＭ１５４を相互に接続する。
【０１５０】
インターフェース１５８は、ストレージ装置１６０および通信装置１６２を、バス１５６と接続する。
【０１５１】
ストレージ装置１６０は、記憶部１２２として機能する、データ格納用の装置である。ストレージ装置１６０は、例えば、記憶媒体、記憶媒体にデータを記録する記録装置、記憶媒体からデータを読み出す読出し装置、または記憶媒体に記録されたデータを削除する削除装置などを含む。
【０１５２】
通信装置１６２は、例えば通信網４２などに接続するための通信デバイス等で構成された通信インターフェースである。また、通信装置１６２は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。この通信装置１６２は、通信部１２０として機能する。
【０１５３】
＜＜５．変形例＞＞
以上、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１５４】
例えば、上述した制御部１００に含まれる全ての構成要素は、録音提示サーバ１０の代わりに、ユーザ端末５０に搭載されてもよい。そして、この場合、本開示における情報処理装置は、ユーザ端末５０になり得る。この変形例では、ユーザ端末５０は、複数の地点の各々に関する録音データ、メタデータ、および、音特徴情報を録音蓄積サーバ２０および録音解析サーバ３０から受信することにより、上述した実施形態と概略同様に、複数の地点の各々に関して音特徴情報を表示画面に表示することが可能である。
【０１５５】
また、上述した実施形態によれば、ＣＰＵ１５０、ＲＯＭ１５２、およびＲＡＭ１５４などのハードウェアを、上述した実施形態による録音提示サーバ１０の各構成と同等の機能を発揮させるためのコンピュータプログラムも提供可能である。また、該コンピュータプログラムが記録された記録媒体も提供される。
【０１５６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１５７】
なお、以下のような構成も本開示の技術的範囲に属する。
（１）
複数の地点の各々に関して、当該地点を含む領域内で録音された音声の特徴を示す情報に対応する表示を、当該地点に関する情報と関連付けて表示画面に表示させる出力制御部、
を備え、
前記録音された音声の特徴を示す情報は、前記録音された音声の大きさを示す情報を含む、情報処理装置。
（２）
前記録音された音声の大きさを示す情報は、前記録音された音声の騒音レベルを含む、前記（１）に記載の情報処理装置。
（３）
前記地点に関する情報は、前記地点に位置する不動産の識別情報または前記不動産の位置情報を含み、
前記録音された音声の大きさを示す情報は、前記不動産の屋外または屋内で録音された音声の騒音レベルを含む、前記（２）に記載の情報処理装置。
（４）
前記地点に関する情報は、前記地点に位置する不動産の識別情報または前記不動産の位置情報を含み、
前記録音された音声の大きさを示す情報は、前記不動産の防音性能を示す値を含む、前記（１）〜（３）のいずれか一項に記載の情報処理装置。
（５）
前記出力制御部は、前記複数の地点の各々に関する、当該地点を含む領域内で録音された音声の特徴を示す情報と、当該地点に関する情報との組み合わせを、リスト形式で表示させる、前記（１）〜（４）のいずれか一項に記載の情報処理装置。
（６）
前記出力制御部は、前記複数の地点の各々に関して、当該地点を含む領域内で録音された音声の特徴を示す情報と、当該地点に関する情報との組み合わせを、当該録音された音声の大きさを示す情報に応じた順序で一方向に並べて前記表示画面に表示させる、前記（５）に記載の情報処理装置。
（７）
前記表示画面は、地図画面であり、
前記地点に関する情報は、前記地点の位置情報を含み、
前記出力制御部は、前記複数の地点の各々に関して、当該地点を含む領域内で録音された音声の特徴を示す情報に対応する表示を、前記地図画面における、前記地点の位置情報に対応する表示位置に表示させる、前記（１）〜（４）のいずれか一項に記載の情報処理装置。
（８）
前記出力制御部は、前記複数の地点の各々に関して、当該地点を含む領域内で録音された音声の特徴を示す情報に対応する表示を、当該音声の大きさを示す情報に応じた表示態様で前記地図画面に表示させる、前記（７）に記載の情報処理装置。
（９）
前記複数の地点は、第１の地点と、前記第１の地点の周囲に位置する第２の地点とを含み、
前記出力制御部は、さらに、前記地図画面における前記第１の地点と前記第２の地点との間の表示位置に関して、前記第１の地点を含む領域内で録音された音声の大きさを示す情報と、前記第２の地点を含む領域内で録音された音声の大きさを示す情報とを、前記第１の地点と前記第２の地点と前記表示位置との位置関係に応じて補間し、かつ、補間した情報に対応する表示を前記表示位置に表示させる、前記（８）に記載の情報処理装置。
（１０）
前記出力制御部は、前記第１の地点を含む領域内で録音された音声の大きさを示す情報と、前記第２の地点を含む領域内で録音された音声の大きさを示す情報とを、さらに前記地図画面の拡大率に応じて補間し、かつ、補間した情報に対応する表示を前記表示位置に表示させる、前記（９）に記載の情報処理装置。
（１１）
前記録音された音声の特徴を示す情報は、前記録音された音声に含まれる音の種類ごとの音の大きさを示す情報を含む、前記（１）〜（１０）のいずれか一項に記載の情報処理装置。
（１２）
前記情報処理装置は、前記複数の地点のうちのいずれかの選択を受け付ける受付部をさらに備え、
前記出力制御部は、さらに、選択された地点を含む領域内で録音された音声に関して、録音時刻ごとの音の大きさを示す情報を録音時刻順に前記表示画面に表示させる、前記（１）〜（１１）のいずれか一項に記載の情報処理装置。
（１３）
前記受付部は、さらに、音の種類の選択を受け付け、
前記出力制御部は、前記録音された音声のうち前記選択された種類の音に関して、録音時刻ごとの音の大きさを示す情報を録音時刻順に前記表示画面に表示させる、前記（１２）に記載の情報処理装置。
（１４）
前記受付部は、さらに、期間の選択を受け付け、
前記出力制御部は、前記録音された音声のうち前記選択された期間の音声に関して、録音時刻ごとの音の大きさを示す情報を録音時刻順に前記表示画面に表示させる、前記（１２）または（１３）に記載の情報処理装置。
（１５）
前記出力制御部は、前記複数の地点の各々に関して、当該地点を含む領域内で録音された音声に基づいて推定された、当該地点を含む領域における交通量に対応する表示を前記表示画面にさらに表示させる、前記（１）〜（１４）のいずれか一項に記載の情報処理装置。
（１６）
前記出力制御部は、前記複数の地点の各々に関して、当該地点を含む領域内で録音された音声に基づいて推定された、当該地点における天候に関する情報に対応する表示を前記表示画面にさらに表示させる、前記（１）〜（１５）のいずれか一項に記載の情報処理装置。
（１７）
前記天候に関する情報は、雨量、風速、または、雷に関する情報を含む、前記（１６）に記載の情報処理装置。
（１８）
所定の地点で録音された音声に関して、録音時刻ごとの音の大きさを示す情報を録音時刻順に表示画面に表示させる出力制御部、
を備える、情報処理装置。
（１９）
複数の地点の各々に関して、当該地点を含む領域内で録音された音声の特徴を示す情報に対応する表示を、当該地点に関する情報と関連付けてプロセッサが表示画面に表示させること、
を含み、
前記録音された音声の特徴を示す情報は、前記録音された音声の大きさを示す情報を含む、情報処理方法。
（２０）
コンピュータを、
複数の地点の各々に関して、当該地点を含む領域内で録音された音声の特徴を示す情報に対応する表示を、当該地点に関する情報と関連付けて表示画面に表示させる出力制御部、
として機能させるための、プログラムであって、
前記録音された音声の特徴を示す情報は、前記録音された音声の大きさを示す情報を含む、プログラム。
【符号の説明】
【０１５８】
１０  録音提示サーバ
２０  録音蓄積サーバ
３０  録音解析サーバ
４０  録音端末
４２  通信網
５０  ユーザ端末
１００、２００、３００、４００  制御部
１０２  出力制御部
１０４  入力受付部
１２０、２２０、３２０、４２０  通信部
１２２、２２２、３２２、４２８  記憶部
２０２、４０４  録音保存部
２０４、３０６、４０６  送信制御部
３０２  特徴情報特定部
３０４  特徴情報保存部
４０２  録音部
４２２  マイクロフォン
４２４  ＧＰＳ受信部
４２６  日時情報取得部
【図１】
2017130537.tif 000004
【図２】
2017130537.tif 000005
【図３】
2017130537.tif 000006
【図４】
2017130537.tif 000007
【図５】
2017130537.tif 000008
【図６】
2017130537.tif 000009
【図７】
2017130537.tif 000010
【図８】
2017130537.tif 000011
【図９】
2017130537.tif 000012
【図１０】
2017130537.tif 000013
【図１１】
2017130537.tif 000014
【図１２】
2017130537.tif 000015
【図１３】
2017130537.tif 000016
【図１４】
2017130537.tif 000017
【図１５】
2017130537.tif 000018
【図１６】
2017130537.tif 000019
【図１７】
2017130537.tif 000020
【図１８】
2017130537.tif 000021
【図１９】
2017130537.tif 000022
【図２０】
2017130537.tif 000023
【図２１】
2017130537.tif 000024
【図２２】
2017130537.tif 000025
【図２３】
2017130537.tif 000026
【国際調査報告】
2017130537.tif 000027
2017130537.tif 000028
2017130537.tif 000029
2017130537.tif 000030